(57)【要約】      （修正有）【課題】電気送風機におけるモータアセンブリに、多用途性を備えさせる。【解決手段】電気送風機のハウジングＨに固定されるように構成されたインターフェース支持体２１０と、固定されたカバー２２０は、閉じ込め空間を画定するために協働し、閉じ込め空間内に配置されるブラシレスモータを備える電気送風機のためのモータアセンブリである。インターフェース支持体２１０は、冷却空気ダクト２１４に対応する半径方向の拡張部が設けられた円形形状を有する。電気送風機のハウジングＨにアダプタ２９０を固定するための固定部材２９１が設けられたアダプタ２９０がインターフェース支持体２１０と関連し、アダプタ２９０は、インターフェース支持体２１０を受け入れるために適切なシート２９２を有し、アダプタ２９０は、電気送風機のハウジングＨに対してインターフェース支持体２１０の周辺領域を軸方向に固定するように構成される。【選択図】図２０
2020101181.tif 000002
【特許請求の範囲】
【請求項１】
電気送風機のハウジング（Ｈ）に固定されるように構成されたインターフェース支持体（２１０）と、前記インターフェース支持体（２１０）に固定されたカバー（２２０）とであって、前記インターフェース支持体（２１０）と前記カバー（２２０）は、閉じ込め空間を画定するために協働し、前記インターフェース支持体（２１０）は、電気ファンの箱（Ｈ）に固定されるように構成され、前記カバー（２２０）は、前記インターフェース支持体（２１０）に固定され、前記インターフェース支持体（２１０）は、平面視で、円形形状を示し、前記インターフェース支持体（２１０）と前記カバー（２２０）が閉じ込め空間を画定するために協働する冷却空気ダクト（２１４）を備える、インターフェース支持体及びカバーと、
前記閉じ込め空間内に配置されるブラシレスモータ（２３０）と、を備える電気送風機のためのモータアセンブリであって、
前記冷却空気ダクト（２１４）は、前記インターフェース支持体（２１０）の円形形状に対して半径方向に拡張部を画定し、
前記円形形状は、前記ブラシレスモータ（２３０）の回転軸と同軸であり、
前記アセンブリは、さらに前記電気ファンの箱（Ｈ）にアダプタ（２９０）を固定するための固定手段（２９１）が設けられたアダプタ（２９０）であって、前記アダプタは、シート（２９２）と前記インターフェース支持体（２１０）の間で多彩な連結を有するように、前記インターフェース支持体（２１０）を受け入れるように構成されたシート（２９２）を有するアダプタを備え、
前記アダプタ（２９０）は、前記電気ファン箱に前記モータユニットを保持するために前記電気ファンの箱（Ｈ）に対して前記インターフェース支持体（２１０）の周辺領域を軸方向に固定するように構成され、
前記固定手段は、前記インターフェース支持体（２１０）の周辺端部の半径方向外側にのみ配置される、モータアセンブリ。
【請求項２】
前記インターフェース支持体（２１０）は、もっぱら前記アダプタ（２９０）によって前記電気送風機のハウジング（Ｈ）に固定できる、請求項１に記載のアセンブリ。
【請求項３】
前記ブラシレスモータ（２３０）は、
固定子本体（２３１ａ）と前記固定子本体（２３１ａ）によって運ばれる固定子巻き線（２３１ｂ）を備える固定子（２３１）と、
前記固定子（２３１）を囲うベル本体（２３３ａ）と、前記電気送風機の羽根車を取り付けるためのシャフト（２３３ｃ）を備える回転子（２３３）であって、前記回転子は、前記インターフェース支持体（２１０）に形成される開口（２１３）を通って一部が突き出る回転子と、を備える、請求項１または２に記載のアセンブリ。
【請求項４】
前記固定子本体（２３１ａ）は、前記回転子（２３３）の前記ベル本体（２３３ｃ）の直径を超えて半径方向に突き出る部分がない、請求項３に記載のアセンブリ。
【請求項５】
さらに前記固定子本体（２３１ａ）に固定された放熱板（２４０）を備える、請求項３または４に記載のアセンブリ。
【請求項６】
前記固定子本体（２３１ａ）は、前記固定子本体（２３１ａ）から軸方向に突き出る少なくとも３つの取り付け突起（２３１ｄ）を備え、
前記放熱板（２４０）は、前記取り付け突起によって前記固定子本体（２３１ａ）に固定される、請求項５に記載のアセンブリ。
【請求項７】
前記放熱板（２４０）は、それぞれねじ（２４１）によって前記取り付け突起（２３１ｄ）に固定される、請求項６に記載のアセンブリ。
【請求項８】
さらに前記放熱板（２４０）に固定された電気制御盤（２５０）を備える、請求項５乃至７のいずれか１項に記載のアセンブリ。
【請求項９】
前記電気制御盤（２５０）は、ねじ（２５１）によって、前記放熱板（２４０）に固定される、請求項８に記載のアセンブリ。
【発明の詳細な説明】
【技術分野】
【０００１】
本発明は、一般に電気送風機のための電気モータに関し、特に自動車の用途のためのものに関する。
【背景技術】
【０００２】
第１の既知のモータアセンブリは、図１乃至６に示される。
【０００３】
図１−６のモータアセンブリは、電気送風機のハウジング（図示せず）に固定されるように構成された、プラスチック材料で作られたインターフェース支持体１０を備える。この目的のために、インターフェース支持体１０は、スルーホール１１がモータアセンブリを電気送風機ハウジングに固定するためのねじ（図示せず）を受け入れるために形成される、固定構造を有する。中央開口１３は、また例えば図２に見られる、インターフェース支持体１０を通って形成される。
【０００４】
図は、またインターフェース支持体１０に形成される、冷却空気の通路のためのダクト１４も示す。
【０００５】
図１−３のアセンブリは、またカバー２０に作られたスルーホール２２を通って挿入され、インターフェース支持体１０に形成されるねじ穴１２に係合する、ねじ２１によってインターフェース１０に固定される、プラスチック材料のカバー２０を備える。
【０００６】
シート２３は、また電気コネクタを受け入れるように構成されたカバー２０に設けられる。
【０００７】
インターフェース支持体１０とカバー２０は、ブラシレスモータ３０が配置される閉じ込め空間を画定するために協働し、その分解図が図４で示される。
【０００８】
ブラシレスモータ３０は、固定子本体と固定子本体によって運ばれる固定子巻き線（図示せず）を備える固定子３１を備える。固定子本体は、スルーホールを有する取り付けピン３１ｂが形成されるプラスチック材料の支持プレート３１ａを備える。弾性材料のインサート３１ｃは、取り付けピン３１ｂに取り付けられる。２つの巻き線支持部３１ｄは、インサート３１ｃに取り付けられ、る、絶縁材料を有し、固定子巻き線（図示せず）が配置される。したがって、固定子本体は、支持プレート３１ａ、インサート３１ｃ及び巻き線支持部３１ｄを備える。支持プレート３１ａは、固定子本体に構造的な硬さを与える。
【０００９】
ブラシレスモータ３０は、さらに支持プレート３１ａの取り付けピン３１ｂを囲う、永久磁石３３ｂが配置される、ベル本体３３ａを備える、回転子３３を備える。回転子３３は、またベル本体３３ａと回転中に一体化するシャフト３３ｃを備える。シャフト３３ｃは、電気送風機羽根車（図示せず）を取り付けるために構成される。例えば図２で見られるように、回転子３３は、インターフェース支持体１０に形成される開口１３を通って一部突き出る。回転子３３は、支持プレート３１ａの取り付けピン３１ｂに形成されるスルーホールに取り付けられるベアリングホルダブッシュ３２に挿入される、シャフト３３ｃによって支持プレート３１ａに回転中取り付けられる。
【００１０】
支持プレート３１ａ及びしたがって全モータ３０は、支持プレート３１ａに形成されるスルーホール３１ｅに挿入されるねじ２１によってインターフェース支持体１０に固定される。支持プレート３１ａは、また支持プレート３１ａに形成されるスルーホール３１ｆに挿入され、インターフェース支持体１０に形成されるねじ穴１５と係合するねじ３４によって、インターフェース支持体１０に固定される。さらに、カバー２０は、カバー２０に形成されるスルーホール２５に挿入され、支持プレート３１ａに形成されるねじ穴３１ｇと係合するねじ２４によって支持プレート１０に固定される。
【００１１】
アセンブリは、さらに冷却空気のためのダクト１４に面して配置された支持プレート３１ａに形成される窓３１ｈにおいて、支持プレート３１ａに固定される、金属材料の放熱板４０を備える。
【００１２】
最後に、アセンブリは、電気モータ３０を管理するための回路が設けられた電気制御盤５０を備える。電気制御盤５０は、ねじ５１によって放熱板４０に固定される。
【００１３】
上記されたまとまりにおいて、モータ３０は、シャフト３３ｃに対してオフセットして配置された散逸板４０を支持する支持プレート３１ａによって、回転子３３の直径をかなり超えて横に延在する（特に図２参照）。この横の邪魔物は、利用可能なスペースが減らされる設置状況において、上記されたアセンブリの用途を阻む。
【００１４】
第２の既知のモータアセンブリは図７乃至１２に示される。
【００１５】
図７−１２のモータアセンブリは、電気送風機のハウジング（図示せず）に固定されるように構成されたインターフェース支持体１１０を備える。この目的のために、インターフェース支持体１１０は、電気送風機ハウジングにモータアセンブリを固定するためのねじ（図示せず）を受け入れるためにスルーホール１１１が形成される固定構造を有する。
【００１６】
図は、またインターフェース支持体１１０に形成される、冷却空気の通路のためのダクト１１４も示す。
【００１７】
インターフェース支持体１１０は、３つの材料によって形成されるモノリシック構造要素である。特にインターフェース支持体１１０は、金属材料の中央部１１６を備える。プラスチック材料の中間部１１７は、中央部１１６から延在し、弾性材料の防振部１１８によって周辺を囲われる。最後に中間部１１７と同じ材料の周辺部１１９は、インターフェース支持体１１０の防振部１１８から延在する。
【００１８】
図７−１２のアセンブリは、またカバー１２０に作られるスルーホール１２２を通って挿入され、インターフェース支持体１１０に形成されるねじ穴１１２と係合する、ねじ１２１によって、インターフェース支持体１１０に固定されるプラスチック材料のカバー１２０を備える。シート１１３は、また電気コネクタを受け入れるように構成されたインターフェース支持体１１０に設けられる。
【００１９】
アセンブリは、さらにカバー１２０に対して反対側のインターフェース支持体１１０に固定される、保護リング１２５を備える。
【００２０】
インターフェース支持体１１０及び保護リング１２５は、ブラシレスモータ１３０が配置される、閉じ込め空間を画定するように協働し、その分解図が図９に示される。
【００２１】
ブラシレスモータ１３０は、固定子本体１３１ａ及び固定子本体によって運ばれる固定子巻き線（図示せず）を備える固定子１３１を備える。スルーホールは、固定子本体１３１ａに形成される。固定子１３１は、固定子本体１３１ａで作られるスルーホール１３１ｃに挿入され、インターフェース支持体１１０の中央部１１６に作られるねじ穴１１５に連結されるねじ１３１ｂによって、インターフェース支持体１１０に固定される。
【００２２】
ブラシレスモータ１３０は、また固定子１３１を囲うベル本体１３３ａを備える、回転子１３３を備える。永久磁石（図示せず）は、ベル本体１３３ａに配置される。回転子１３３は、またベル本体１３３ａと回転中に一体化するシャフト１３３ｃを備える。シャフト１３３ｃは、電気送風機羽根車（図示せず）を取り付けるために構成される。例えば図８に見られるように、回転子１３３は、保護リング１２５に形成される中央開口を通って一部が突き出る。回転子１３３は、固定子本体１３１ａに形成されるスルーホールに取り付けられたベアリング１３２に挿入されるシャフト１３３ｃを通って、固定子１３１に回転中に取り付けられる。
【００２３】
インターフェース支持部１１０の金属材料の中央部１１６は、また散逸板として役立ち、例えば図１０に見られるように、冷却空気のためのダクト１１４に面して設置される。
【００２４】
最後に、アセンブリは、電気モータ１３０を管理するための電気回路が設けられた電気制御盤１５０を備える。電気制御盤１５０は、ねじによって放熱板１１６に固定される。
【００２５】
図７−１２のアセンブリは、図１−６の実施形態に対して、より少ないアセンブリ構成要素を備え、したがって、潜在的な寸法誤差に関する問題の影響が少ない。しかしながら、異なる設置条件要求に適応するには、インターフェース支持体を完全に再定義する必要があるため、多数のプロジェクトで用いられることができない。
【発明の概要】
【００２６】
本発明の目的は、上記で示された欠点の少なくとも一部を解決できる解決法を提供することである。
【００２７】
この目的のために、本発明の目的は、電気送風機のためのモータアセンブリであり、それは、電気送風機のハウジングに固定されるように構成されたインターフェース支持体と、インターフェース支持体に固定されたカバーとであって、インターフェース支持体とカバーは、閉じ込め空間を画定するために協働し、インターフェース支持体は、電気ファンの箱に固定されるように構成され、カバーは、インターフェース支持体に固定され、インターフェース支持体は、平面視で、円形形状を示し、インターフェース支持体とカバーが閉じ込め空間を画定するために協働する冷却空気ダクトを備える、インターフェース支持体及びカバーと、
−閉じ込め空間内に配置されるブラシレスモータと、を備え、
冷却空気ダクトは、インターフェース支持体の円形形状に対して半径方向の拡張部を画定し、
前記円形形状は、ブラシレスモータの回転軸と同軸であり、
アセンブリは、さらに電気ファンの箱にアダプタを固定するための固定手段が設けられたアダプタであって、前記アダプタは、シートとインターフェース支持体の間で多彩な連結を有するように、インターフェース支持体を受け入れるように構成されたシートを有するアダプタを備え、
アダプタは、電気ファン箱にモータユニットを保持するために電気ファンの箱に対してインターフェース支持体の周辺領域を軸方向に固定するように構成され、
前記固定手段は、インターフェース支持体の周辺端部の半径方向外側にのみ配置される。
【００２８】
上記された形態の結果、アセンブリは、円形形状の対称性が、冷却空気ダクトが得られる半径拡張部によってのみ割り込まれるインターフェース支持体の円形形状のおかげで、単に異なる形状のアダプタを用いることによって及び／または必要な角度位置でアセンブリを回転することによって、異なる設置状況で用いられる。もしあれば、要求される変更のみが、空気ダクトが電気モータを管理する電気盤を冷却するために設けられる突出した付属物に関連する。
【００２９】
インターフェース支持部は、もっぱらアダプタによって電気送風機ハウジングに固定されてもよい。
【００３０】
実施形態によると、ブラシレスモータは、
固定子本体と固定子本体によって運ばれる固定子巻き線を備える固定子と、
固定子を囲うベル本体と、電気送風機の羽根車を取り付けるためのシャフトを備える回転子であって、前記回転子は、インターフェース支持体に形成される開口を通って一部が突き出る回転子と、を備える。
【００３１】
有利に、固定子本体は、回転子のベル本体の直径を超えて半径方向に突き出る部分がない。
【００３２】
アセンブリは、さらに固定子本体に固定される散逸板を備える。固定子本体は、固定子本体から軸方向に突き出る複数の取り付け突起を備え、散逸板は、前記取り付け突起によって固定子本体に固定される。
【００３３】
本発明によるモータアセンブリのさらなる特徴及び利点は、説明及び非限定の目的のためのみに提供される、添付図を参照して、本発明の実施形態の次の詳細な説明から明白になるであろう。
【図面の簡単な説明】
【００３４】
【図１】第１の既知のモータアセンブリの概略斜視図である。
【図２】第１の既知のモータアセンブリの概略斜視図である。
【図３】図１及び２のモータアセンブリの分解図である。
【図４】図１及び２のアセンブリのモータの分解図である。
【図５】図４のモータの切断図である。
【図６】図４のモータの断面図である。
【図７】第２の既知のモータアセンブリの概略斜視図である。
【図８】第２の既知のモータアセンブリの概略斜視図である。
【図９】図７及び８のモータアセンブリの分解図である。
【図１０】図７及び８のアセンブリのモータの分解図である。
【図１１】図１０のモータの切断図である。
【図１２】図１０のモータの断面図である。
【図１３】本発明によるモータアセンブリの概略斜視図である。
【図１４】本発明によるモータアセンブリの概略斜視図である。
【図１５】図１３及び１４のモータアセンブリの分解図である。
【図１６】図１３及び１４のアセンブリのモータの分解図である。
【図１７】図１６のモータの概略斜視図である。
【図１８】図１３及び１４のモータアセンブリの断面図である。
【図１９】図１３及び１４のモータアセンブリの平面図である。
【図２０】電気送風機のハウジング上の図１３及び１４のモータアセンブリの取り付け具を示す分解図である。
【図２１】電気送風機のハウジング上の図１３及び１４のモータアセンブリの取り付け具を示す概略斜視図である。
【図２２】図１８の一部を拡大した図である。
【発明を実施するための形態】
【００３５】
図１３乃至２２は、本発明によるモータアセンブリを示す。
【００３６】
そのようなアセンブリは、電気送風機のハウジング（Ｈ）（図２０及び２１で示される）に固定されるように構成された、プラスチック材料で作られたインターフェース支持体２１０を備える。インターフェース支持体２１０が、ハウジングＨに固定される方法は、以下に記載されるであろう。中央開口２１３は、例えば図１４に見られるように、インターフェース支持体２１０を通って形成される。
【００３７】
図は、またインターフェース支持体２１０に形成される、冷却空気の通路のためのダクト２１４も示す。
【００３８】
図１３−２２のアセンブリは、またカバー２２０に作られるスルーホール２２２を通って挿入され、インターフェース支持体２１０に形成されたねじ穴２１２と係合するねじ２２１によって、インターフェース支持体２１０に固定される、プラスチック材料のカバー２２０を備える。シート２２３は、また電気コネクタを受け入れるように構成されたカバー２２０に設けられる。
【００３９】
インターフェース支持体２１０及びカバー２２０は、ブラシレスモータ２３０が配置された閉じ込め空間を画定するように協働し、その分解図が図１６に示される。
【００４０】
ブラシレスモータ２３０は、固定子本体２３１ａ及び固定子本体２３１ａによって運ばれる固定子巻き線２３１ｂを備える固定子２３１を備える。スルーホールは、固定子本体２３１ａに形成される。ブラシレスモータ２３０は、さらに固定子２３１を囲うベル本体２３３ａを備え、永久磁石（図示せず）が配置される、回転子２３３を備える。回転子２３３は、またベル本体２３３ａと回転中に一体化するシャフト２３３ｃを備える。シャフト２３３ｃは、電気送風機羽根車Ｉ（図２０で示される）を取り付けるために構成される。例えば図１４で見られるように、回転子２３３は、インターフェース支持体２１０に形成される開口２１３を通って一部が突き出る。回転子２３３は、固定子本体２３１ａに形成されるスルーホールに取り付けられたベアリング２３２に挿入されるシャフト２３３ｃによって、固定子２３１に回転中に取り付けられる。
【００４１】
例えば、図１７に見られるように、固定子本体２３１ａは、回転子２３３のベル本体２３３ａの外側直径を超えて半径方向に突き出る部分がない。
【００４２】
アセンブリは、さらに、散逸板２４０に作られたスルーホールに挿入され、回転子２３１ａから軸方向に突き出るそれぞれの取り付け突起２３１ｄにおいて固定子本体２３１ａに形成されるねじ穴２３１ｃと連結される例えばねじ２４１などの固定手段によって、固定子２３１に固定される、金属材料の散逸板２４０を備える（特に図１５、１６及び１７参照）。
【００４３】
散逸板２４０は、冷却空気のためのダクト２１４に面して配置される。
【００４４】
最後に、アセンブリは、電気モータ２３０を管理するための回路が設けられた、電気制御盤２５０を備える。電気制御盤２５０は、ねじ２５１によって放熱板２４０に固定される。ガスケット２５２は、電気制御盤２５０に接続される電気モータ２３０の接点が通る散逸板２４０の開口において、電気制御盤２５０及び散逸板２５２の間に入れられる。
【００４５】
図１９で見られるように、インターフェース支持体２１０は、平面視において、電気モータ２３０の回転の軸と同軸の、冷却空気のダクト２１４に対応する半径方向の拡張部が設けられた円形形状を有する。
【００４６】
図２０及び２１を参照して、アダプタ２９０は、電気送風機のハウジングＨにアダプタ２８０を固定するための、例えばねじ２９１などの固定手段が設けられ、インターフェース支持体２１０に関連する。ねじ２９１は、アダプタ２９０に形成されるスルーホール２９３に挿入され、電気送風機のハウジングＨに形成されるねじ穴２９４と連結される。
【００４７】
アダプタ２９０は、インターフェース支持体２１０を受け入れるように構成されたシート２９２を有する。シート２９２の輪郭は、したがってシート２９２とインターフェース支持体２１０の間の多彩な連結を有するように、インターフェース支持体２１０のプロファイルに従う形状にされなければならない。アダプタ２９０は、電気送風機のハウジングＨにモータアセンブリを保持するための電気送風機のハウジングＨに対してインターフェース支持体２１０の周辺領域を軸方向に固定するように構成される。
【００４８】
インターフェース支持体２１０は、もっぱらアダプタ２９０によって働かされる軸方向の締め付けによって電気送風機ハウジングＨに固定される。言い換えると、ハウジングＨにインターフェース支持体２１０を固定するのに存在する他の要素はない。
【００４９】
この点について、ねじ２９１は、インターフェース支持体２１０の周辺端部の半径方向外側に配置される。
【００５０】
上記形態の結果、アセンブリは、円形形状の対称性が、冷却空気ダクトが得られる半径拡張部によってのみ割り込まれるインターフェース支持体の円形形状のおかげで、単に異なる形状のアダプタを用いることによって及び／または必要な角度位置でアセンブリを回転することによって、異なる設置状況で用いられる。もしあれば、要求される変更のみが、冷却空気のためのダクトが設けられる突出した付属物に関連する。
【００５１】
特に図１８及び２２を参照して、弾性材料の第１の保持要素２６０は、インターフェース支持体２１０上に配置される。第１の保持要素２６０は、単一の組み立てられた環状要素からなり、またはリング状成形体を備えて、２重射出成形によって得られる。それに応じて、弾性材料の第２の保持要素２７０は、カバー２２０上に配置される。この第２の保持要素２７０は、単一の組み立てられた環状要素からなり、またはリング状成形体を備えて、２重射出成形によって得られる。これらの第１及び第２の保持要素２６０及び２７０は、インターフェース支持体２１０に散逸板２４０及びブラシレスモータ２３０を持ち続けるように、散逸板２４０の周辺領域で共に軸方向に固定する。
【００５２】
有利に、第１及び第２の保持要素２６０、２７０は、カバー２２０がインターフェース支持体２１０に固定されるねじ２２１の閉鎖によって、散逸板２４０に対して固定される。
【００５３】
ブラシレスモータ２３０は、その結果、もっぱら散逸板２４０によってインターフェース支持体２１０おいて保持される。言い換えると、インターフェース支持体２１０及びカバー２２０によって画定される空間内にブラシレスモータ２３０を保持する他の要素はない。
【００５４】
代わりに、カバー２２０は、例えばスナップなどの、代替の固定手段によってインターフェース支持体２１０に固定される。それにもかかわらず、第１及び第２の保持要素２６０及び２７０の間の散逸板２４０の締め付けは、同様の方法で得られる。
【００５５】
カバー２２０の中央穴に挿入される、弾性材料の栓２８０は、また散逸板２４０とモータ２３０のさらなるセンタリング及び安定化効果を達成するために散逸板２４０の中央穴に連結する。
【００５６】
本発明は、本明細書に記載され、描かれた実施形態に限定されず、当業者に適切に表され、次の請求項によって画定されるように、本発明の範囲に含まれるとして理解されるべき、多くの可能な変形によって、部分の形状及び配置、構成の及び操作の細部に関する変更を代わりに受け入れる余地があることが理解される。
【図１】
2020101181.tif 000003
【図２】
2020101181.tif 000004
【図３】
2020101181.tif 000005
【図４】
2020101181.tif 000006
【図５】
2020101181.tif 000007
【図６】
2020101181.tif 000008
【図７】
2020101181.tif 000009
【図８】
2020101181.tif 000010
【図９】
2020101181.tif 000011
【図１０】
2020101181.tif 000012
【図１１】
2020101181.tif 000013
【図１２】
2020101181.tif 000014
【図１３】
2020101181.tif 000015
【図１４】
2020101181.tif 000016
【図１５】
2020101181.tif 000017
【図１６】
2020101181.tif 000018
【図１７】
2020101181.tif 000019
【図１８】
2020101181.tif 000020
【図１９】
2020101181.tif 000021
【図２０】
2020101181.tif 000022
【図２１】
2020101181.tif 000023
【図２２】
2020101181.tif 000024
【外国語明細書】
2020101181000001.pdf